(57)【要約】【課題】コスト増を抑制して、障害物との衝突に注意を促す車両用注意喚起システムを提供すること。【解決手段】自車両Ａ周辺の障害物Ｂとの衝突に注意を促す車両用注意喚起システム１０において、障害物Ｂを検出する障害物検出手段１と、障害物検出手段１が検出した障害物Ｂと異常接近するか否かを判定する異常接近判定手段３ａと、異常接近判定手段３ａにより異常接近すると判定された場合、障害物の側のウィンカインジケータランプ６Ｌ又は６Ｒを進行方向を指示する時と異なる色又は／及び周期で点滅させるウィンカインジケータランプ点灯手段４ａと、を有することを特徴とする。【選択図】図１
2008056135.tif 000002
【特許請求の範囲】
【請求項１】
自車両周辺の障害物との衝突に注意を促す車両用注意喚起システムにおいて、
前記障害物を検出する障害物検出手段と、
前記障害物検出手段が検出した前記障害物と異常接近するか否かを判定する異常接近判定手段と、
前記異常接近判定手段により異常接近すると判定された場合、前記障害物の側のウィンカインジケータランプを進行方向を指示する時と異なる色及び／又は周期で点滅させるウィンカインジケータランプ点灯手段と、
を有することを特徴とする車両用注意喚起システム。
【請求項２】
前記異常接近判定手段により異常接近すると判定された場合、
前記ウィンカインジケータランプ点灯手段は、前記障害物の側のターンシグナルランプを進行方向を指示する時と異なる色又は／及び周期で点滅させる、
ことを特徴とする請求項１記載の車両用注意喚起システム。
【発明の詳細な説明】
【技術分野】
【０００１】
本発明は、自車両周辺の障害物との異常接近について注意喚起する車両用注意喚起に関し、特に、ウィンカインジケータランプ又はターンシグナルランプの点灯制御により異常接近を注意喚起する車両用注意喚起システムに関する。
【背景技術】
【０００２】
車両の周辺状況を検知して警報等を吹聴する運転支援が提案されている。例えば、一定車速又は一定車間距離で車両を走行制御するオートクルーズコントロール装置では、先行車両との車間距離が短くなると警報音により警告する。
【０００３】
しかしながら、オートクルーズコントロール装置は前方の他車両との距離に応じて警報を吹聴するものであるため、前方又は後方の左右いずれかに他車両があってもその方向を乗員に報知することができない。これでは、運転者はどちらに障害物があるか分からず、回避操作に戸惑う場合がある。
【０００４】
より直接的に障害物等の方向を報知するため、フロントウィンドウ、ルームミラー、ドアミラー等にＬＥＤライトによる警報表示を設け、障害物を検知した方向に応じて該当する方向の警報表示を点灯する車両用情報表示装置が提案されている（例えば、特許文献１参照。）。かかる車両用情報表示装置では、障害物の検知方向と点灯する表示装置が一致するので、運転者はより直感的に障害物の方向を認識することができる。
【特許文献１】特開２００３−２９１６８９号公報
【発明の開示】
【発明が解決しようとする課題】
【０００５】
しかしながら、特許文献１記載の車両用情報表示装置では、方向別に新たに表示装置を設ける必要がありコスト増となってしまう。この点、クリアランスソナーシステムは、車両前後のバンパに複数の超音波センサを備え、障害物を検出した超音波センサに対応するインジケータを点灯するので、障害物のおよその位置を報知することができる。したがって、クリアランスソナーシステムのインジケータを利用すれば、比較的低廉なコストで障害物の方向を運転者に報知することができるが、全ての車両がクリアランスソナーシステムを搭載しているわけでないため、非搭載車では結局コスト増となってしまう。
【０００６】
本発明は、上記課題に鑑み、コスト増を抑制して、障害物との衝突に注意を促す車両用注意喚起システムを提供することを目的とする。
【課題を解決するための手段】
【０００７】
上記課題を解決するため、本発明は、自車両周辺の障害物との衝突に注意を促す車両用注意喚起システムにおいて、障害物を検出する障害物検出手段と、障害物検出手段が検出した障害物と異常接近するか否かを判定する異常接近判定手段と、異常接近判定手段により異常接近すると判定された場合、障害物の側のウィンカインジケータランプを進行方向を指示する時と異なる色又は／及び周期で点滅させるウィンカインジケータランプ点灯手段と、を有することを特徴とする。
【０００８】
本発明によれば、ウィンカインジケータランプにより障害物の接近及び方向を報知するので、新たな表示装置を搭載する必要がない。また、ウィンカインジケータランプは進行方向を指示する時と異なる色又は／及び周期で点滅するので運転者は一目で障害物の接近及び方向を把握することができる。なお、異常接近とは、衝突しうる程度の距離まで接近することをいう。
【０００９】
また、本発明の一形態において、異常接近判定手段により異常接近すると判定された場合、ウィンカインジケータランプ点灯手段は、障害物の側のターンシグナルランプを進行方向を指示する時と異なる色又は／及び周期で点滅させる、ことを特徴とする。
【００１０】
本発明によれば、ターンシグナルランプを進行方向を指示する時と異なる色又は／及び周期で点滅させることで、相手車両や後続車両及び第三者に報知して、２次・３次衝突のリスクを下げることができる。
【発明の効果】
【００１１】
コスト増を抑制して、障害物との衝突に注意を促す車両用注意喚起システムを提供することができる。
【発明を実施するための最良の形態】
【００１２】
以下、本発明を実施するための最良の形態について、図面を参照しながら実施例を挙げて説明する。
【実施例１】
【００１３】
図１は、車両用注意喚起システム１０の機能ブロック図の一例を示す。本実施形態の車両用注意喚起システム１０は、レーダ等により障害物を検出した場合、障害物の方向をメータパネルのウィンカ表示（後述のウィンカインジケータランプ６）を利用して運転者に報知する。ウィンカ表示はほぼ全ての車両に搭載されているので、追加する構成を最小限にして運転者に障害物の方向を報知することができる。なお、本実施形態では障害物の例として他車線の後方車を用いるが、他車線の先行車、同じ車線の先行車及び後方車、並びに、ガードレールなどの地物、歩行者なども障害物に含まれる。
【００１４】
車両用注意喚起システム１０は、障害物との距離を検出して種々の制御を実現する距離制御ＥＣＵ（Electronic  Control  Unit）３、コンビネーションパネルの各種インジケータランプの点灯を制御するメータＥＣＵ４等がＣＡＮ（Ｃｏｎｔｏｒｏｌｌｅｒ  Ａｒｅａ  Ｎｅｔｗｏｒｋ）等の車内ＬＡＮにより接続されて構成される。また、距離制御ＥＣＵ３による距離の検出結果に応じて先行車両との距離を制御するため、エンジンＥＣＵやスキッドコントロールＥＣＵが接続されている。
【００１５】
距離制御ＥＣＵ３及びメータＥＣＵ４は、プログラムを実行するＣＰＵ、プログラムを記憶したＲＯＭ、データやプログラムを一時的に記憶するＲＡＭ、ＮＶ−ＲＡＭ（Ｎｏｎ  Ｖｏｌａｔｉｌｅ  ＲＡＭ）、データを入力及び出力する入出力インターフェイス、他のＥＣＵと通信する通信部がバスを介して接続されたマイコンとして構成される。
【００１６】
ＣＰＵがプログラムを実行することで、検出された障害物と異常接近するか否かを判定する異常接近判定手段３ａ、異常接近すると判定された場合、障害物の側のウィンカインジケータランプ（以下、単にウィンカランプという）を進行方向を指示する時と異なる色又は／及び周期で点滅させるウィンカインジケータランプ点灯手段４ａ、が実現される。
【００１７】
距離制御ＥＣＵ３にはミリ波レーダ装置１及びカメラセンサ２が接続されている。ミリ波レーダ装置１は、ミリ波（３０ＧＨｚ〜３００ＧＨｚ）の波長のうち、所定の波長のレーダを発信し障害物に反射して帰ってきたミリ波を受信する。ミリ波レーダの射程範囲内に障害物が存在した場合、障害物から反射波が帰ってくるので、ミリ波レーダ装置１は発信してから反射波が受信されるまでの時間により障害物までの距離を検出する。障害物の方向は、反射波の帰って来た方向である。また、反射波の周波数はドップラー効果により相対速度に応じて変化するので、周波数変化を利用することで相対速度を検出することができる。さらに、ミリ波レーダ装置１は、ヨーレートセンサやステアリングセンサの検出値に基づきカーブ半径を推定し、障害物の検出方向の補正を行う。なお、車幅方向に複数の受信アンテナを備え、左右の受信アンテナが受信する反射電波の強弱又は周波数を解析することで障害物の存在する方向を検出してもよい。
【００１８】
ミリ波レーダ装置１は、車両前方のフロントグリル内及び車両後部のバンパ内などに配設され、車両の斜め前方を含む前方（以下、単に前方という）及び車両の斜め後方を含む後方（以下、単に後方という）の障害物を検出することが好ましいが、前方又は後方のいずれかに配設されていてもよい。また、ミリ波レーダ装置１はレーザレーダ装置であってもよく、この場合、レーダの発信方向を変えながら障害物をスキャニングすることで同様にして障害物との距離、相対速度及び方向を検出する。
【００１９】
カメラセンサ２は車両前部バンパや室内ルームミラーに搭載されており、車両前方へ向けて水平下向きに所定角範囲で広がる領域を撮影する。カメラセンサ２はＣＭＯＳ（Complementary  Metal  Oxide  Semiconductor）やＣＣＤ（Charge  Coupled  Device）の光電変換素子により、所定の輝度階調（例えば、２５６階調）の画像データを出力する。カメラセンサ２は搭載位置から車両前方へ向けて水平下向きに所定角範囲で広がる領域を撮影する。
【００２０】
カメラセンサ２は白線検出装置を備え、画像データに対し画像処理を行い、その画像に映し出されている道路上に描かれた走行レーンを区切る白線を検出する。白線検出装置は、例えば、画像データの輝度に基づき、所定の閾値以上の輝度を有する領域を画像データの底部から上方に向けて探索する。白線は両端に高周波成分たるエッジを有するので、車両前方の画像データの輝度値を水平方向に微分すると、白線の両端にピークが得られるので、白線部分が推定できる。さらに推定した白線部分について、白線の特徴である、輝度が高い、線状の形状である等の特徴のある領域に、マッチングなどの手法を適用して白線を検出できる。なお、カメラセンサ２としてステレオカメラを備え、カメラセンサ２により障害物との距離方向、相対速度を検出してもよい。
【００２１】
距離制御ＥＣＵ３の異常接近判定手段３ａは、異常接近するか否かを、「相対距離が所定以下か否か」、「相対速度が所定以上か否か」、「ＴＴＣ（Time  To  Collision）＝相対距離／相対速度  が所定以下か否か」の１つ又は複数の指標に基づき判定し、障害物と異常接近するおそれがあると判定すると、障害物検知信号及び障害物の方向をメータＥＣＵ４に送信する。
【００２２】
メータＥＣＵ４について説明する。メータＥＣＵ４は、燃料の残量センサなどの各種センサ及び他のＥＣＵと接続されており、インストルメントパネルに設けられたコンビネーションメータの各種インジケータの点灯を各機器の作動状態や警告状態に応じて制御する。インジケータは、例えば、ウィンカの作動を知らせるウィンカランプ、燃料残量インジケータ、テールランプインジケータ等である。
【００２３】
ターンシグナルランプ５は、車両の前後のバンパ、車両の側面、ドアミラーの前側に、それぞれ左右対称に装備された、車両の右左折や車線変更など進行方向を点滅して示すランプである。図では、前部に設けられたターンシグナルランプ５をそれぞれターンシグナルランプ５Ｒ、５Ｌで示した。ターンシグナルランプ５の点灯時の色は、法規により定められた色（例えば橙色）であるが、光源は電球又はＬＥＤなどどのようなものでもよい。
【００２４】
車両はターンシグナルランプ５のスイッチとして、ヘッドライト等の他の燈火類のスイッチを組み合わせたレバー状のコンビネーションスイッチ７を備えており、コンビネーションスイッチ７が上下方向に操作されると操作方向のターンシグナルランプ５のスイッチがオンとなる。
【００２５】
メータＥＣＵ４は、例えばボディＥＣＵからコンビネーションスイッチ７のスイッチオンを受信すると、操作方向の左右いずれかのフラッシャリレー５ａを通電する。フラッシャリレー５ａは、通電すると接点部分が一定間隔でオフ／オンを繰り返す回路であって、ターンシグナルランプ５への給電ラインの途中に接続されている。これにより、ターンシグナルランプ５は必ず点滅して点灯する（例えば、毎分60〜120回の一定周期）。
【００２６】
ウィンカランプ６は、コンビネーションメータに設けられたターン作動を示すインジケータであり、例えば、図示する如く左右の矢印の形に対称に設けられた１対のランプである。ウィンカランプ６はフラッシャリレー５ａに接続されており、ターンシグナルランプ５と同期して点滅する。ウィンカランプ６の点灯色は法規により定められていないことが多いため、どのような色（例えば、以下、Ｎ（Ｎｏｒｍａｌ）色という）で点灯してもよい。なお、聴覚による動作確認のためリレーの作動音が発せられる。
【００２７】
なお、コンビネーションパネルの一部をＨＵＤ（Ｈｅａｄ Ｕｐ  Ｄｉｓｐｌａｙ）を用いて表示する場合、ウィンカランプ６はフロントガラスに投影される。
【００２８】
本実施形態のウィンカランプ６について説明する。図２は、コンビネーションメータに設けられたウィンカランプ６の一例を示す。なお、図２では、テールランプ作動インジケータ等は省略した。
【００２９】
図２（ａ）のコンビネーションメータは中央にスピードメータを有し、スピードメータ上方の左側に左側のターンシグナルランプ５Ｌの点滅を示すウィンカランプ６Ｌ、スピードメータ上方の右側に右側のターンシグナルランプ５Ｒの点滅を示すウィンカランプ６Ｒ、がそれぞれ配置されている。
【００３０】
上述のとおり、運転者がコンビネーションスイッチ７をオンにするとオンにした側のウィンカランプ６Ｌ又は６ＲがＮ色で点滅するが、ウィンカランプ６は、更にＮ色とは別の色（以下、Ｓ色という）で点滅する光源を有する。図２（ｂ）は、ウィンカランプ６を点滅する光源の一例を示す図である。
【００３１】
光源６１Ｌ及び６１ＲはＮ色に点灯する光源であり、接近報知光源６２Ｌ及び６２ＲはＳ色に点灯する光源である。光源６１Ｌと接近報知光源６２Ｌ、又は、光源６１Ｒと接近報知光源６２Ｒは並設されており、いずれか一方が点灯するとＮ色又はＳ色でウィンカランプ６が点灯したことを運転者が視認する配置になっている。
【００３２】
光源６１Ｌはターンシグナルランプ５Ｌを介してフラッシャリレー５ａに、６１Ｒはターンシグナルランプ５Ｒを介してフラッシャリレー５ａにそれぞれ接続され、上述のようにさらにメータＥＣＵ４に接続されている。また、接近報知光源６２Ｌ及び６２ＲはそれぞれメータＥＣＵ４に直接接続されている。
【００３３】
このような構成により、ウィンカインジケータランプ点灯手段４ａは接近報知光源６２Ｌ及び６２Ｒをコンビネーションスイッチ７の操作に関わらず点灯又は点滅制御することができる（以下、単に点滅という場合がある）。本実施例では、ウィンカインジケータランプ点灯手段４ａは、距離制御ＥＣＵ３から障害物検知信号及び方向が送信されると、障害物の方向に応じて接近報知光源６２Ｌ又は６２Ｒを点滅させる。したがって、ウィンカランプ６はＳ色で点滅する。
【００３４】
接近報知光源６２Ｌ又は６２Ｒの点灯色（Ｓ色）は障害物の接近を運転者に報知するものであるため、注意喚起性の高い色（例えば、赤色など）であることが好適である。また、接近報知光源６２Ｌ又は６２ＲがＬＥＤの場合、メータＥＣＵ４の出力する信号のデューティ比を制御することで点滅させることができ、点滅させることで注意喚起性を高めることができる。点滅のサイクルは例えば５Ｈｚなど、ターンシグナルランプ５の点滅サイクルより十分に早いことが注意を喚起する上で好適である。さらに、ＴＴＣに応じて点滅の周期を変えてもよい。
【００３５】
なお、接近報知光源６２Ｌ及び６２Ｒをフラッシャリレー５ａを介してメータＥＣＵ４と接続しても接近報知光源６２Ｌ及び６２Ｒを点滅させることができる。この注意喚起時のフラッシャリレー５ａのオフ／オン間隔は、進行方向を指示するフラッシャリレー５ａよりも十分に早ければよい。
【００３６】
図３は障害物の位置と接近報知光源６２Ｌ又は６２Ｒによるウィンカランプ６の点滅の関係を示す図である。図３（ａ）に示すように、左側の対向車線を走行する他車両ＢのＴＴＣが所定以下の場合、自車両ＡのメータＥＣＵ４は左側のウィンカランプ６ＬをＳ色で点滅させる。
【００３７】
また、図３（ｂ）に示すように、右側の対向車線を走行する他車両ＢのＴＴＣが所定以下の場合、自車両ＡのメータＥＣＵ４は右側のウィンカランプ６ＲをＳ色で点滅させる。
【００３８】
図３（ａ）又は（ｂ）のような状況は、他車両Ｂ又は自車両Ａがステアリング操作を誤って対向車線に飛び出す場合に生じうる。運転者は、ウィンカランプ６Ｌ又は６Ｒの点滅により、障害物の接近方向を一目で把握して回避操作することができる。
【００３９】
図３（ｃ）に示すように、左車線の後方を走行する他車両ＢのＴＴＣが所定以下の場合、自車両ＡのメータＥＣＵ４は左側のウィンカランプ６ＬをＳ色で点滅させる。
【００４０】
また、図３（ｄ）に示すように、右車線の後方を走行する他車両ＢのＴＴＣが所定以下の場合、自車両ＡのメータＥＣＵ４は右側のウィンカランプ６ＲをＳ色で点滅させる。
【００４１】
図３（ｃ）又は（ｄ）のような状況は、自車両Ａが他車両Ｂの位置や速度の目測を誤り、車線変更するような場合に生じうる。運転者は、ウィンカランプ６Ｌ又は６Ｒの点滅により、障害物の接近方向を一目で把握して車線変更を中止したり侵入角度を調整することができる。
【００４２】
図３（ｅ）に示すように、左車線の前方を走行する他車両ＢのＴＴＣが所定以下の場合、自車両ＡのメータＥＣＵ４は左側のウィンカランプ６ＬをＳ色で点滅させる。
【００４３】
また、図３（ｆ）に示すように、右車線の前方を走行する他車両ＢのＴＴＣが所定以下の場合、自車両ＡのメータＥＣＵ４は右側のウィンカランプ６ＲをＳ色で点滅させる。
【００４４】
図３（ｅ）又は（ｆ）のような状況は、他車両Ｂが自車両Ａの位置や速度の目測を誤り、車線変更するような場合に生じうる。運転者は、ウィンカランプ６Ｌ又は６Ｒの点滅により、障害物の接近方向を一目で把握して減速やホーンの吹聴など回避操作することができる。
【００４５】
なお、自車両Ａの正面方向又は後ろ正面方向に障害物が検出された場合、メータＥＣＵ４は、例えば両方のウィンカランプ６Ｒ及び６Ｌを同時に点滅させる。
【００４６】
図４は、メータＥＣＵ４がウィンカランプ６を点灯制御するフローチャート図を示す。図４のフローチャート図に基づく制御は、例えばイグニッションオンによりスタートする。
【００４７】
ミリ波レーダ装置１はミリ波を発信しその反射波に基づき継続的に障害物を検出しているので、異常接近判定手段３ａは例えばＴＴＣが所定以下になると異常接近の危険があると判定する（Ｓ１）。異常接近の危険があると判定すると、異常接近判定手段３ａは障害物検知信号及び障害物の方向をメータＥＣＵ４に送出する。
【００４８】
メータＥＣＵ４のウィンカインジケータランプ点灯手段４ａは、障害物検知信号及び方向を受信して障害物の方向に基づき左右いずれかの接近報知光源６２Ｌ又は６２Ｒを点滅させる（Ｓ２）。運転者は、ウィンカランプ６が方向を指示するために操作した場合と異なる色又は及び周期で点滅することから障害物を検知したことを一目で把握して適切な対応をとることができる。
【００４９】
なお、障害物が検知され、メータＥＣＵ４が接近報知光源６２Ｌ又は６２Ｒを点滅している間に運転者がコンビネーションスイッチ７を操作した場合、又はその逆に、コンビネーションスイッチ７の操作によりターンシグナルランプ５Ｌ又は５Ｒが点滅している間に障害物が検知された場合、ターンシグナルランプ５Ｌ又は５Ｒが点滅すると共に、ウィンカランプ６Ｌ又は６ＲがＮ色とＳ色で独立して点滅する。ウィンカランプ６Ｌ又は６ＲがＮ色とＳ色で点滅しても、Ｓ色によるサイクルの早い点滅により、運転者は障害物を検知したことを一目で把握することができる。
【００５０】
本実施例によれば、障害物と異常接近のおそれが生じた場合、通常の色とは異なる色でウィンカランプ６が点灯するので、新たに表示装置を設けずに障害物へ注意喚起することができる。また、障害物の方向に応じてウィンカランプ６Ｒ又は６Ｌを点灯又は点滅させることができるので、左右のいずれの方向に障害物が存在するかを一目で認識することができる。注意喚起するための新たな表示装置が不要であるためコスト増を抑制できる。
【実施例２】
【００５１】
実施例１では運転者が視認できるように、右左折や車線変更時等にコンビネーションスイッチ７を操作した場合の色（Ｎ色）とは異なる色でウィンカランプ６を点滅又は点灯することとした。本実施例では、さらに、右左折時等にコンビネーションスイッチ７を操作した場合の色とは異なる色でターンシグナルランプ５を点滅又は点灯する注意喚起システム１０について説明する。
【００５２】
図５は、本実施例の車両用注意喚起システム１０の機能ブロック図の一例を示す。なお、図５において図１と同一構成部分には同一の符号を付しその説明は省略する。図５では、ターンシグナルランプ５がフラッシャリレー５ａ及びフラッシャリレー５ｂを有し、また、ターンシグナルランプ５が左右それぞれに２つの光源５１Ｌ及び接近報知光源５２Ｌ、光源５１Ｒ及び接近報知光源５２Ｒを有する点で異なる。
【００５３】
すなわち、左側のターンシグナルランプ５Ｌは２つの光源５１Ｌと接近報知光源５２Ｌを、右側のターンシグナルランプ５Ｒは２つの光源５１Ｒと接近報知光源５２Ｒを有する。そして、光源５１Ｌと５１Ｒはフラッシャリレー５ａに接続されており、接近報知光源５２Ｌと５２Ｒはフラッシャリレー５ｂに接続されている。
【００５４】
光源５１Ｌと５１Ｒは実施例１と同様に法規により定められた例えば橙色で点灯する光源であるが、接近報知光源５２Ｌと５２Ｒは光源５１Ｌと５１Ｒと異なる色であって、注意喚起性に優れたＰ色（例えば、赤等）で点灯する光源である。したがって、接近報知光源５２Ｌ又は５２Ｒが通電された場合、他車の乗員は通常と異なる色で点滅するターンシグナルランプ５を視認することができる。
【００５５】
実施例１と同様に、メータＥＣＵ４は、コンビネーションスイッチ７から左又は右のスイッチオンを検出すると、オンにされた左右いずれかのフラッシャリレー５ａを通電するので、光源５１Ｌ又は５１Ｒは、例えば毎分60〜120回の一定周期で必ず点滅して点灯する。
【００５６】
これに対し、フラッシャリレー５ｂは、通電すると接点部分がフラッシャリレー５ａよりも早い一定間隔でオフ／オンを繰り返す回路を有する。したがって、フラッシャリレー５ｂが通電されると、接近報知光源５２Ｌ又は５２Ｒは、例えば５Ｈｚのように早い一定周期のサイクルによりＰ色で点滅する。
【００５７】
ウィンカランプ６は、ターンシグナルランプ５と同期して点滅することが好適であるため、光源６１Ｌは光源５１Ｌに、光源６１Ｒは光源５１Ｒにそれぞれ接続されており、接近報知光源６２Ｌは接近報知光源５２Ｌに、接近報知光源６２Ｒは接近報知光源５２Ｒにそれぞれ接続されている。したがって、光源６１Ｌが光源５１Ｌと同期して点滅し、光源６１Ｒは光源５１Ｒと同期して点滅し、接近報知光源６２Ｌは接近報知光源５２Ｌと同期して点滅し、接近報知光源６２Ｒは接近報知光源５２Ｒと同期して点滅する。
【００５８】
メータＥＣＵ４は、距離制御ＥＣＵ３から障害物検知信号及び方向が送信されると、障害物の方向のフラッシャリレー５ｂを通電する。したがって、接近報知光源６２Ｌ又は６２Ｒと接近報知光源５２Ｌ又は光源５２Ｒとが同期して、接近報知光源６２Ｌ又は６２ＲはＳ色で、接近報知光源５２Ｌ又は光源５２ＲはＰ色で点滅する。
【００５９】
なお、接近報知光源５２Ｌ又は５２Ｒと接近報知光源６２Ｌ又は６２Ｒは同期して点滅しなくてもよい。この場合、例えば、フラッシャリレー５ｂを介さずに、メータＥＣＵ４が接近報知光源５２Ｌ又は５２Ｒと接近報知光源６２Ｌ又は６２ＲをよりそれぞれＰＷＭ制御する。
【００６０】
以上のように、障害物の異常接近が検出されると、コンビネーションスイッチ７を操作して作動した場合の橙色とは異なるＰ色でターンシグナルランプ５２Ｌ又は５２Ｒが、早い一定周期のサイクルで点滅するので、他車両の乗員に注意を喚起することができる。
【００６１】
なお、障害物が検知され、メータＥＣＵ４が接近報知光源６２Ｌ又は６２Ｒ、及び、接近報知光源５２Ｌ又は５２Ｒを点滅している間に運転者がコンビネーションスイッチ７を操作した場合、メータＥＣＵ４はフラッシャリレー５ａを通電する。したがって、光源６１Ｌ又は６１Ｒが点滅すると共に光源５１Ｌ又は５１Ｒが同期して点滅し、かつ、接近報知光源６２Ｌ又は６２Ｒが点滅すると共に接近報知光源５２Ｌ又は５２Ｒが同期して点滅する。光源５１Ｌ又は５１Ｒと接近報知光源５２Ｌ又は５２Ｒ、光源６１Ｌ又は６１Ｒと接近報知光源６２Ｌ又は６２Ｒ、は点灯色と点滅サイクルが異なるので、自車両の運転者及び他車両の運転者に注意を喚起することができる。
【００６２】
また、フラッシャリレー５ａに通電時（コンビネーションスイッチ７が操作された場合）には、フラッシャリレー５ｂをオフにしてもよい（フラッシャリレー５ａが優先）。これにより、異なる点灯色及び点滅サイクルの光源が点滅することが防止できる。
【００６３】
図６は、メータＥＣＵ４がウィンカランプ６を点灯制御するフローチャート図を示す。図４のフローチャート図に基づく制御は、例えばイグニッションオンによりスタートする。
【００６４】
ミリ波レーダ装置１はミリ波を発信しその反射波に基づき継続的に障害物を検出しているので、異常接近判定手段３ａは例えばＴＴＣが所定以下になると障害物検知信号及び障害物の方向をメータＥＣＵ４に送出する。
【００６５】
ウィンカインジケータランプ点灯手段４ａは障害物検知信号及び障害物の方向が距離制御ＥＣＵ３から送信されたか否かを判定する（Ｓ１０）。
【００６６】
ウィンカインジケータランプ点灯手段４ａは、障害物検知信号及び方向を受信すると（Ｓ１０のＹｅｓ）、障害物の方向に基づき左右いずれかのフラッシャリレー５ｂを通電する（Ｓ２０）。これにより、接近報知光源５２Ｌが接近報知光源６２Ｌと同期して、又は、接近報知光源５２Ｒが接近報知光源６２Ｒと同期して点滅する。
【００６７】
このような制御により、自車両の運転者はウィンカランプ６がコンビネーションスイッチ７を操作した場合と異なる色及び周期で点滅することから障害物を検知したことを把握でき、また、障害物の方向を認識することができる。また、他車両の乗員や歩行者は、自車両のターンシグナルランプ５が方向を指示する場合と異なる色及び周期で点滅することから異常接近の危険を認識することができる。
【図面の簡単な説明】
【００６８】
【図１】車両用注意喚起システムの機能ブロック図の一例である。
【図２】ウィンカランプの概略図である。
【図３】障害物の位置と光源６２Ｌ又は６２Ｒによるウィンカランプ６の点滅の関係を示す図である。
【図４】メータＥＣＵがウィンカランプを点灯制御するフローチャート図である。
【図５】実施例２における車両用注意喚起システムの機能ブロック図の一例である。
【図６】メータＥＣＵがウィンカランプを点灯制御するフローチャート図である。
【符号の説明】
【００６９】
１      ミリ波レーダ装置
２      カメラセンサ
３      距離制御ＥＣＵ
３ａ    異常接近判定手段
４      メータＥＣＵ
４ａ    ウィンカインジケータランプ点灯手段
５、５Ｌ、５Ｒ      ターンシグナルランプ
５ａ    フラッシャリレー
６、６Ｒ、６Ｌ      ウィンカインジケータランプ（ウィンカランプ）
９      コンビネーションスイッチ
１０    車両用注意喚起システム
５１Ｌ、５１Ｒ、６１Ｌ、６１Ｒ  光源
５２Ｌ、５２Ｒ、６２Ｌ、６２Ｒ  接近報知光源
【図１】
2008056135.tif 000003
【図２】
2008056135.tif 000004
【図３】
2008056135.tif 000005
【図４】
2008056135.tif 000006
【図５】
2008056135.tif 000007
【図６】
2008056135.tif 000008